(57)【要約】      （修正有）【課題】コンパクトで、移動、取り外しが容易にでき、意匠性を持って、フローリングの部屋でも快適に生活することができる幼児・子供向けフローリング用連結畳状敷物を提供する。【解決手段】住宅の幼児・子供用フローリング部屋に使用される畳表２とフェルト３からなる厚さ１５〜３０ｍｍ、横幅５００〜７００ｍｍ、縦幅５００〜７００ｍｍの小型軽量畳フローリングマット４〜１２個を適宜に配列した、正方形、又は長方形のフローリングマット敷物であって、各マットの表面は、動物模様の絵柄を編んだ畳表、及び花模様の絵柄を編んだ畳表及び幾何学模様の絵柄を編んだ畳表、及びヘリーオン模様に編んだ畳表をもつもので作成され、動物模様の絵柄を２〜６個を配置して、マットの裏面に連結具によって１〜６ｍ２面積の大きさに構成されている。【選択図】図１
0003227006.tif 000002
【実用新案登録請求の範囲】
【請求項１】
住宅の幼児・子供用フローリング部屋に使用される畳表とフェルトからなる厚さ１５〜３０ｍｍ，横幅５００〜７００ｍｍ。縦幅５００〜７００ｍｍの小型軽量畳フローリングマット２〜１２個を適宜に配列した、正方形、又は長方形のフローリングマット敷物体において、前記各マットの表面には、動物模様の絵柄を編んだ畳表、及び花模様の絵柄を編んだ畳表、及び幾何学模様の絵柄を編んだ畳表、及びヘリーオン模様に編んだ畳表からなる表面のマットであって、そのうち動物模様の絵柄を持つ表面を１〜６個を配置して、前記マットの裏面に連結具によって全体面積で０．５〜６ｍ２になっている子供志向のフローリング連結マット敷物体であることを特徴とする幼児・子供向けフローリング連結畳敷物。
【請求項２】
小型軽量マットの置き畳敷物は、縦横５００〜７００ｍｍの略正方形であって、表面に藺草で織った畳表で、裏面に厚さ８〜１５ｍｍのフェルト材を使用して、各４辺の縁には、４０〜８０ｍｍの縁布によって、表端、縁、裏端それぞれ２０〜４０ｍｍ長さの縁留めになるようにして、裏面のフェルトには径６〜１２ｍｍφ、深さ５〜１０ｍｍの穴部を、正方形のマット一辺に４０〜８０ｍｍの間隔で３〜６個を設けて、１マット当たり１２〜２０個の穴部を取り付けて、２〜４脚型連結具は、材質として柔軟性の可塑性樹脂で、厚さ１〜２ｍｍの略四方放射形状体、又は二方直線形状体であって、フローリング面で滑り止めになるように、裏面のフェルトでの粗さを０．５ｍｍ以上の表面粗さにして、中心部から２〜４本の脚を出した略四方放射形状体、又は二方直線形状体であり、前記形状体の各脚の先端付近に当該畳マットの裏面フェルト内の穴部に挿入できるような径６〜１２ｍｍφ、高さ５〜１０ｍｍの半割れ円筒体を取り付けていることを特徴とする請求項１に記載の幼児・子供向けフローリング連結畳敷物。
【請求項３】
小型軽量畳マットの置き畳敷物を幼児・子供志向に適宜に配列して、当該マットの裏面の穴部に、２〜４本の脚を出した略四方放射形状体、又は二方直線形状体の連結具の円筒部をセットすることによって、４〜１２個を正方形、又は長方形の種々の状態に配列・固定して、１〜６ｍ２面積の広さに連結したフローリングマット敷物体を家庭の子供向けフローリング床上に敷いていることを特徴とする請求項１、又は請求項２に記載の幼児・子供向けフローリング連結畳敷物。
【請求項４】
幼児・子供志向に適宜に配列した小型軽量畳マットの置き畳敷物を連結して使用するフローリングマット敷物体であって、当該マットの表面の畳面には、動物模様を編んだ畳表マットにして、幾何学模様を形成して隣接させて数個配列して、星様形、花様形、ダイヤ様形、多角様形、格子様形、ヘリンボーン様形の模様型状配列体を構成した花模様、幾何学模様、ヘリンボーン模様の意匠を施したデザイン性表装材にしており、畳敷物マットは、互いに裏面で連結している２〜４本の脚を出した略四方放射形状体、又は二方直線形状体の連結具を着脱自在にして、個々の畳敷物マットの配置及び組み合わせが自由に行えるように幼児・子供向けパッチワーク様になっていることを特徴とする請求項１〜請求項３のいずれかに記載の幼児・子供向けフローリング連結畳敷物。
【考案の詳細な説明】
【技術分野】
【０００１】本考案は住宅の幼児・子供用フロワー部屋に使用される畳表とフェルトからなるフローリング用小型軽量畳マット畳形式敷物に関するものであり、コンパクトで、移動、取り外しが容易にでき、意匠性を持って、子供用フローリングの部屋でも快適に生活・遊戯することができるフローリング用連結畳状敷物マットに関するものである。
【背景技術】
【０００２】一般的住宅では内容的に洋風的な建造物になって、ほとんどの部屋において床がフローリングになって、畳の部屋が非常に少なくっている。一方では、床がフローリングの部屋で畳の和室の日本式生活様式で過ごしたいこともあり、座って居住する様式も取り入れたい気持ちになることもある。しかしながら、フローリングの上に直接座ると脚等がすぐ痛くなり、座り心地が悪いため、畳の上で座ったり、寝たり、過ごしたりしたい気持ちを持つようになる。敷物としては、起毛生地を使用した製品、敷詰めもしくは中敷の絨毯、表装材が畳表（藺草織物等）である単位マットがあるが、その時に適宜の箇所で、座ったり寝ころんだりすることができるように色々な畳形式敷物を使用したい気持ちが起こる。【０００３】単位マットを連結して使用する敷物であって、上記単位マットには、意匠が施されている表装材が設けられており、上記単位マットは、互いに裏面を着脱自在な連結具で連結されて、配置及び組み合わせが自由に行えるようにして、単位マットの配置及び組み合わせがパッチワーク様になっている敷物が提案されている（特許文献１参照）。【０００４】和室を簡単に洋風に転換でき、転換作業が極めて容易に行えるフローリング風敷込み畳とその使用方法をとして、四角形であり、ボード層、断熱材層を有する畳床と、畳床の表面と側面を覆うように取付けた、弾力性がありフローリング模様を施した表面シートとからなり、高さが伝統的な畳Ｔの高さと同じフローリング風敷込み畳である。伝統的な畳を取り除いて床板上に敷き込めば、表面シートにフローリング模様が施されているため、洋風の雰囲気に切換えることができる。そして、畳床には断熱材層３があるので、保温性がフローリングより向上し、表面シートは弾力性があるので、人が寝転んでも痛くないので、フローリング貼りより居住性が向上するものを提案されている（特許文献２参照）。【０００５】面状ファスナーの係止部帯状体が床下側に向けてカーペットマット裏面にオーバーロックされて折り返され、該係止部が表向きの帯状体としてマット端縁外側に形成され、パイル部帯状体はパイルを床下地に向けてカーペットマットの端部直下にオーバーロックされ、係止部帯状体と隣接するカーペットマットのパイル部帯状体が着脱可能に係合されて継目が固定される連結敷物が提案されている（特許文献３参照）。【０００６】フローリングの部屋でも快適に生活することができるフローリング用連結置き畳敷物を提供するために、畳表とフェルト３からなる厚さ１０〜３０ｍｍの小型軽量畳マット２〜１６個を適宜に配列して、当該マットの裏面に２〜４脚ドローン型連結具５、２〜２０個によって１〜８畳の大きさの連結敷物マットにしていいものが提案されている（特許文献４参照）。しかしフローリング用敷物マットを連結されたものは、提案されているが、大型で、幼児・子供用の製品は少ない。また複雑な構造のもので、簡単に使用することは難しく、また接続の度合いが十分ではなく、小型畳みマット間に分離する場合がみられる。
【先行技術文献】
【特許文献】
【０００７】
【特許文献１】特開２００１−３０９８４４号公報
【特許文献２】特開２００５−１８００２３号公報
【特許文献３】実開平７−７５７６号公報
【特許文献４】実用新案登録第３２０２３８０号公報
【考案の概要】
【考案が解決しようとする課題】
【０００８】従来のフローリングの床等に敷く敷物には、次のような課題があった。敷詰めの絨毯のように広くて重いものは、一度敷くと移動が難しい。起毛生地を使用した製品、敷詰めもしくは中敷きの絨毯等はゴミが集まりやすい。また、敷詰めの絨毯は取り外しがむずかしく、掃除が大変である。また住宅の幼児・子供など用フローリング部屋に使用される畳表とフェルトからなる厚さ１５〜３０ｍｍの小型軽量畳フローリングマットは、大部分の製品が表面に色彩、形状、模様またはそれらの組み合わせからなる意匠を施しにくいので見栄えがせず、部屋の雰囲気も変わらない。また畳表を使用した畳敷物マットをいくら連結しても、見栄えがせず、単に畳の代用品に過ぎない。【０００９】特に、近年におけるように個性化の時代といわれ、高価なものでも需要者の好みに合えば売れる時代にあっては、上記のような敷物では、需要者の個性を発揮できない。この場合、各マットの表面には、動物模様の絵柄を編んだ畳表、及び花模様の絵柄を編んだ畳表及び幾何学模様の絵柄を編んだ畳表、及びヘリーオン模様に編んだ畳表をもつもので作成されたものであって、動物模様の絵柄を２〜６個を配置して畳表に意匠等を施すことも考えられるが、見栄えが良く、耐久性がある意匠を施すことができないのが実状である。【００１０】敷物マットを連結されたものは、提案されているが、複雑な構造のもので、簡単に使用することは難しく、また接続の度合いが十分ではなく、マット間に分離する場合がみられる。本考案の目的は、単位マットを連結した敷物において、畳敷物マットの組み合わせにより需要者の好みに合わせることができ、需要者の個性を表現して快適に使用できる敷物を提供して、フローリング用連結置き畳敷物として構成部材の取り外しや移動が容易な敷物を提供することである。
【課題を解決するための手段】
【００１１】住宅の幼児・子供用フローリング部屋に使用される畳表とフェルトからなる厚さ１５〜３０ｍｍ，横幅５００〜７００ｍｍ。縦幅５００〜７００ｍｍの小型軽量畳フローリングマット２〜１２個を適宜に配列した、正方形、又は長方形のフローリングマット敷物体において、前記各マットの表面には、動物模様の絵柄を編んだ畳表、及び花模様の絵柄を編んだ畳表、及び幾何学模様の絵柄を編んだ畳表、及びヘリーオン模様に編んだ畳表からなる表面のマットであって、そのうち動物模様の絵柄を持つ表面を１〜６個を配置して、前記マットの裏面に連結具によって全体面積で０．５〜６ｍ２になっている子供志向のフローリング連結マット敷物体である幼児・子供向けフローリング連結畳敷物である。【００１２】小型軽量マットの置き畳敷物は、縦横５００〜７００ｍｍの略正方形であって、表面に藺草で織った畳表で、裏面に厚さ８〜１５ｍｍのフェルト材を使用して、各４辺の縁には、４０〜８０ｍｍの縁布によって、表端、縁、裏端それぞれ２０〜４０ｍｍ長さの縁留めになるようにして、裏面のフェルトには径６〜１２ｍｍφ、深さ５〜１０ｍｍの穴部を、正方形のマット一辺に４０〜８０ｍｍの間隔で３〜６個を設けて、１マット当たり１２〜２０個の穴部を取り付けて、２〜４脚型連結具は、材質として柔軟性の可塑性樹脂で、厚さ１〜２ｍｍの略四方放射形状体、又は二方直線形状体であって、フローリング面で滑り止めになるように、裏面のフェルトでの粗さを０．５ｍｍ以上の表面粗さにして、中心部から２〜４本の脚を出した略四方放射形状体、又は二方直線形状体であり、前記形状体の各脚の先端付近に当該畳マットの裏面フェルト内の穴部に挿入できるような径６〜１２ｍｍφ、高さ５〜１０ｍｍの半割れ円筒体を取り付けている。【００１３】２〜４脚型連結具は、材質として柔軟性の可塑性樹脂で、厚さ１〜２ｍｍの略四方放射形状体、又は二方直線形状体であって、フローリング面で滑り止めになるように、裏面のフェルトでの粗さを０．５ｍｍ以上の表面粗さにして、中心部から２〜４本の脚を出した略四方放射形状体、又は二方直線形状体であり、前記形状体の各脚の先端付近に当該畳マットの裏面フェルト内の穴部に挿入できるような径６〜１２ｍｍφ、高さ５〜１０ｍｍの半割れ円筒体を取り付けている。【００１４】小型軽量畳マットの置き畳敷物を幼児・子供志向に適宜に配列して、当該マットの裏面の穴部に、２〜４本の脚を出した略四方放射形状体、又は二方直線形状体の連結具の円筒部をセットすることによって、４〜１２個を正方形、又は長方形の種々の状態に配列・固定して、１〜６ｍ２面積の大きさに連結したフローリングマット敷物体を家庭の子供向けフローリング床上に敷いている。【００１５】幼児・子供志向に適宜に配列した小型軽量畳マットの置き畳敷物を連結して使用するフローリングマット敷物体であって、当該マットの表面の畳面には、動物模様を編んだ畳表マットにして、幾何学模様を形成して隣接させて数個配列して、星様形、花様形、ダイヤ様形、多角様形、格子様形、ヘリンボーン様形の模様型状配列体を構成した花模様、幾何学模様、ヘリンボーン模様の意匠を施したデザイン性表装材にしており、畳敷物マットは、互いに裏面で連結している２〜４本の脚を出した略四方放射形状体、又は二方直線形状体の連結具を着脱自在にして、個々の畳敷物マットの配置及び組み合わせが自由に行えるように幼児・子供向けパッチワーク様になっている。【００１６】表畳材の下側裏面に、主にフェルトであるが、発泡ポリウレタン、コルク、またはプラスチック製ハニカム材から選ばれたいずれかを含む基体が使用される。マットの裏面には防滑性を有することができる。【００１７】敷物の形状としては、通常は正方形のものが使用されるが、その他、長方形、三角形、六角形等のものも適宜使用でき、特に限定するものではない。表装材としては、例えば平織、斜文織、朱子織等の織物、編布、不織布等の布あるいは藺草を編んだ茣蓙などを使用できる。また、天然皮革または合成皮革も使用できる。しかし、これらに限定されるものではない。【００１８】敷物は、畳敷物マットを連結して使用する敷物であって、上記畳敷物マットには、意匠が施されている畳表装材が設けられており、互いに裏面を着脱自在な連結具で連結されて、配置及び組み合わせが自由に行えるようになっている。
従って、需要者が複数の畳敷物マットを選び、自己の好みに合うように配置及び組み合わせをすることができる。【００１９】そのことにより、連結された敷物の意匠に自己の個性を表すことができ、床がフローリングである一般的な部屋等においても、上記敷物を使用することにより、快適な生活をおくることができる。また、着脱自在な連結具で連結された単位マット同士は容易に取り外すことができる。畳敷物マットを他の部屋に移動するときには、単位マットに分解して運ぶことができ、軽いので移動時の負担を軽減することができる。
【考案の効果】
【００２０】本考案は上記構成を備え、次の効果を有する。住宅の幼児・子供など用フローリング部屋に使用される畳表とフェルトからなる厚さ１５〜３０ｍｍの小型軽量畳フローリングマット用連結置き畳敷物は、畳敷物マットを連結して使用する敷物で、フローリング床上のマットであって、畳敷物に動物模様の絵柄を編んだ畳表、及び花模様の絵柄を編んだ畳表及び幾何学模様の絵柄を編んだ畳表、及びヘリーオン模様に編んだ畳表をもつもので作成されたものであって、意匠が施されている表装材が設けられており、互いに裏面を着脱自在な連結具で連結されて、配置及び組み合わせが自由に行えるようになっている。従って、需要者が複数の畳敷物マットを選び、自己の好みに合うように配置及び組み合わせをすることができる。そのことにより、連結された敷物の意匠に自己の個性を表すことができ、フローリングである床の一般的な部屋等においても、上記敷物を使用することにより、快適な生活をおくることができる。【００２１】着脱自在な連結具で連結された単位マット同士は容易に取り外すことができる。これにより敷物を他の部屋に移動するときには、単位マットに分解して運ぶことができ、軽いので移動時の負担を軽減することができる。動物模様の絵柄を編んだ畳表、及び花模様の絵柄を編んだ畳表及び幾何学模様の絵柄を編んだ畳表、及びヘリーオン模様に編んだ畳表をもつもので作成されたものであって畳敷物マットの配置及び組み合わせがパッチワーク様になっているものは、上記パッチワーク様の意匠を自己の好みに合うようにすることにより、複数の畳敷物マットを安定的に固定できて、自己の個性を表わすことができる。【００２２】フローリング用連結置き畳敷物における畳敷物マット基体により全体に強度が付与されるのにもかかわらず、比較的軽量で移動させやすいので、好みに合わせて所望の箇所に自由に置くことができる。また、掃除や模様替えをする際にも楽に移動させることができる。敷物本体の下面が防滑性を有するものは、敷物を使用中、動かないようにすることができ、歩行したり、座ったりするときに、体が不安定になることがなく、安全性に優れる。
【図面の簡単な説明】
【００２３】
【図１】幼児・子供向けフローリング連結畳敷物の斜視図。
【図２】幼児・子供向けフローリング連結畳敷物の一個の図  Ａ：動物模様  Ｂ：花模様  Ｃ：幾何学模様、
【図３】幼児・子供向けフローリング連結畳敷物の配置模様の図  Ａ：２枚  Ｂ：４枚  Ｃ：６枚
【図４】幼児・子供向けフローリング連結畳敷物裏面連結状態の２種類の図  Ａ：  二連裏面  Ｂ：  断面  Ｃ：四連裏面
【考案を実施するための形態】
【００２４】本考案の実施の形態を図面に基づき更に詳細に説明する。畳表とフェルトからなる厚さ１０〜３０ｍｍの小型軽量畳マット２〜９個を適宜に配列して、当該マットの裏面に２〜４脚ドローン型連結具２〜２４によって１〜８畳の大きさの連結敷物マットにしている。図１、２は本考案に係る敷物に使用する畳敷物マットの斜視図、図３は接合具の図、図４，５，６は本考案に係る敷物に使用する単位マットの底面図である。
【実施例１】
【００２５】図１に示すように、幼児・子供など用フローリング部屋に使用される畳表とフェルトからなる厚さ２０ｍｍ，横幅６００ｍｍ。縦幅６００ｍｍの小型軽量畳フローリングマット９個を適宜に配列して、正方形のフローリングマット敷物体において、前記各マットの表面には、図２のＡの動物模様の絵柄を編んだ畳表、及び図２のＢの花模様の絵柄を編んだ畳表及び、図２のＣの幾何学模様の絵柄を編んだ畳表をもつもので作成されたものであって、動物模様の絵柄４個を配置して、前記マットの裏面に連結具によって３．２ｍ２面積の大きさである子供志向のフローリング連結マット敷物体になっている幼児・子供向けフローリング連結畳敷物であった。【００２６】小型軽量マットの置き畳敷物は、縦横６００ｍｍの略正方形であって、表面に藺草で織った畳表で、裏面に厚さ１５ｍｍのフェルト材を使用して、各４辺の縁には、５０ｍｍの縁布によって、表端、縁、裏端それぞれ４０ｍｍ長さの縁留めになるようにして、裏面のフェルトには径８ｍｍφ、深さ８ｍｍの穴部を、正方形のマット一辺に６０ｍｍの間隔で３個を設けて、１マット当たり１２個の穴部を取り付けた。【００２７】２脚型連結具は、材質として柔軟性の可塑性樹脂で、厚さ１．５ｍｍの二方直線形状体であって、フローリング面で滑り止めになるように、裏面のフェルトでの粗さを０．５ｍｍ以上の表面粗さにして、中心部から２本の脚を出した二方直線形状体であり、前記形状体の各脚の先端付近に当該畳マットの裏面フェルト内の穴部に挿入できるような径８ｍｍφ、高さ６ｍｍの半割れ円筒体を取り付けた。【００２８】小型軽量畳マットの置き畳敷物を幼児・子供志向に適宜に配列して、当該マットの裏面の穴部に、２本の脚を出した二方直線形状体の連結具の円筒部をセットすることによって、９個を正方形の種々の状態に配列・固定して、３．２ｍ２面積の大きさに連結したフローリングマット敷物体を家庭の子供向けフローリング床上に敷いた。【００２９】幼児・子供志向に適宜に配列した小型軽量畳マットの置き畳敷物を連結して使用するフローリングマット敷物体であって、当該マットの表面の畳面には、動物模様を編んだ畳表マットにして、幾何学模様を形成して隣接させて数個配列して、花様形の模様型状配列体を構成した花模様の意匠を施したデザイン性表装材にしており、畳敷物マットは、互いに裏面で連結している２本の脚を出した二方直線形状体の連結具を着脱自在にして、個々の畳敷物マットの配置及び組み合わせが自由に行えるように幼児・子供向けパッチワーク様になった。【００３０】表畳材の下側裏面に、主にフェルトで、プラスチック製ハニカム材から選ばれた含む基体が使用される。マットの裏面には防滑性を有した。
【実施例２】
【００３１】図３のＡに示すように住宅の幼児・子供など用フローリング部屋に使用される畳表とフェルトからなる厚さ２０ｍｍ，横幅６００ｍｍ。縦幅６００ｍｍの小型軽量畳フローリングマット２個を適宜に配列して、正方形のフローリングマット敷物体において、前記各マットの表面には、動物模様の絵柄を編んだ畳表、及び花模様の絵柄を編んだ畳表及び幾何学模様の絵柄を編んだ畳表、であって、動物模様の絵柄を２〜６個を配置して、前記マットの裏面に連結具によって０．７ｍ２面積の大きさである子供志向のフローリング連結マット敷物体になっている幼児・子供向けフローリング連結畳敷物であった。【００３２】小型軽量マットの置き畳敷物は、縦横６００ｍｍの略正方形であって、表面に藺草で織った畳表で、裏面に厚さ１５ｍｍのフェルト材を使用して、各４辺の縁には、４０ｍｍの縁布によって、表端、縁、裏端それぞれ４０ｍｍ長さの縁留めになるようにして、裏面のフェルトには径８ｍｍφ、深さ６ｍｍの穴部を、正方形のマット一辺に６０ｍｍの間隔で３個を設けて、１マット当たり１２個の穴部を取り付けた。【００３３】２脚型連結具は、材質として柔軟性の可塑性樹脂で、厚さ１．５ｍｍの二方直線形状体であって、フローリング面で滑り止めになるように、裏面のフェルトでの粗さを０．５ｍｍ以上の表面粗さにして、中心部から２本の脚を出した二方直線形状体であり、前記形状体の各脚の先端付近に当該畳マットの裏面フェルト内の穴部に挿入できるような径８ｍｍφ、高さ６ｍｍの半割れ円筒体を取り付けた。【００３４】小型軽量畳マットの置き畳敷物を幼児・子供志向に適宜に配列して、当該マットの裏面の穴部に、二方直線形状体の連結具の円筒部をセットすることによって、２個を正方形の状態に配列・固定して、０．７ｍ２面積の大きさに連結したフローリングマット敷物体を家庭の子供向けフローリング床上に敷いた。【００３５】幼児・子供志向に適宜に配列した小型軽量畳マットの置き畳敷物を連結して使用するフローリングマット敷物体であって、当該マットの表面の畳面には、動物模様を編んだ畳表マットにした、図４Ａに示すように畳敷物マットは、互いに裏面で連結している二方直線形状体の連結具を着脱自在にして、個々の畳敷物マットの配置及び組み合わせが自由に行えるように幼児・子供向けパッチワーク様になった。【００３６】表畳材の下側裏面に、主にフェルトで、発泡ポリウレタン、を含む基体が使用される。マットの裏面には防滑性を有することができた。
【実施例３】
【００３７】住宅の幼児・子供など用フローリング部屋に使用される畳表とフェルトからなる厚さ２０ｍｍ，横幅７００ｍｍ。縦幅７００ｍｍの小型軽量畳フローリングマット４個を適宜に配列して、正方形のフローリングマット敷物体において、前記各マットの表面には、動物模様の絵柄を編んだ畳表、及び花模様の絵柄を編んだ畳表及び幾何学模様の絵柄を編んだ畳表で作成されたものであって、動物模様の絵柄を２個を配置して、前記マットの裏面に連結具によって２ｍ２面積の大きさである子供志向のフローリング連結マット敷物体になっている幼児・子供向けフローリング連結畳敷物であった。【００３８】小型軽量マットの置き畳敷物は、縦横７００ｍｍの略正方形であって、表面に藺草で織った畳表で、裏面に厚さ１５ｍｍのフェルト材を使用して、各４辺の縁には、４０ｍｍの縁布によって、表端、縁、裏端それぞれ４０ｍｍ長さの縁留めになるようにして、裏面のフェルトには径８ｍｍφ、深さ６ｍｍの穴部を、正方形のマット一辺に８０ｍｍの間隔で３個を設けて、１マット当たり１２個の穴部を取り付けた。【００３９】２脚型連結具は、材質として柔軟性の可塑性樹脂で、厚さ１．５ｍｍの略四方放射形状体、又は二方直線形状体であって、フローリング面で滑り止めになるように、裏面のフェルトでの粗さを０．５ｍｍ以上の表面粗さにして、中心部から２本の脚を出した二方直線形状体であり、前記形状体の各脚の先端付近に当該畳マットの裏面フェルト内の穴部に挿入できるような径８ｍｍφ、高さ６ｍｍの半割れ円筒体を取り付けた。【００４０】小型軽量畳マットの置き畳敷物を幼児・子供志向に適宜に配列して、当該マットの裏面の穴部に、２本の脚を出した二方直線形状体の連結具の円筒部をセットすることによって、４個を正方形の種々の状態に配列・固定して、２ｍ２面積の大きさに連結したフローリングマット敷物体を家庭の子供向けフローリング床上に敷いた。【００４１】幼児・子供志向に適宜に配列した小型軽量畳マットの置き畳敷物を連結して使用するフローリングマット敷物体であって、当該マットの表面の畳面には、動物模様を編んだ畳表マットにして、幾何学模様を形成して隣接させて数個配列して、花様形の模様型状配列体を構成した花模様の意匠を施したデザイン性表装材にしており、畳敷物マットは、互いに裏面で連結している２本の脚を出した二方直線形状体の連結具を着脱自在にして、個々の畳敷物マットの配置及び組み合わせが自由に行えるように幼児・子供向けパッチワーク様になった。
【符号の説明】
【００４２】１．フローリング用連結置き畳敷物
２．畳表
３．フェルト材
４．縁布
５．２〜４脚ドローン型連結具
６．穴部
７．半割れ円筒部
８．樹脂面
９．滑り止め
【図１】
0003227006.tif 000003
【図２】
0003227006.tif 000004
【図３】
0003227006.tif 000005
【図４】
0003227006.tif 000006
【手続補正書】
【提出日】令和1年9月26日(2019.9.26)
【手続補正１】
【補正対象書類名】実用新案登録請求の範囲
【補正対象項目名】請求項１
【補正方法】変更
【補正の内容】
【請求項１】
住宅の幼児・子供用フローリング部屋に使用される畳表とフェルトからなる厚さ１５〜３０ｍｍ，横幅５００〜７００ｍｍ，縦幅５００〜７００ｍｍの小型軽量畳フローリングマット２〜１２個を適宜に配列した、正方形、又は長方形のフローリングマット敷物体において、前記各マットの表面には、動物模様の絵柄を編んだ畳表、及び花模様の絵柄を編んだ畳表、及び幾何学模様の絵柄を編んだ畳表、及びヘリンボ―ン模様に編んだ畳表からなる表面のマットであって、そのうち動物模様の絵柄を持つ表面を１〜６個を配置して、前記マットの裏面に連結具によって全体面積で０．５〜６ｍ２になっている子供志向のフローリング連結マット敷物体であることを特徴とする幼児・子供向けフローリング連結畳敷物。